(57)【要約】　【課題】　土寄せや籾がらによる遮光を必要とせず、あるいはまた専用の軟白フィルムを用いないでねぎを軟白化して栽培すねぎの栽培方法に好適に用いられる係止具を提供する。　【解決手段】　畝に沿って所定の間隔で立設される支柱２０に嵌着自在に取付けられる嵌着部２２と、この嵌着部２２に連設され、上記支柱２０の外表面に接して紐状体１６を挟んで係止する爪２３とを有し、上記爪２３で係止される紐１６によってマルチフィルム１２を持上げた状態で保持し、これによってねぎ１１の茎の根元側の部分を遮光し、軟白化する。【選択図】　図９
2004081224.tif 000002
【特許請求の範囲】
【請求項１】
　畝に沿って所定の間隔で立設される支柱に嵌着自在に取付けられる嵌着部と、
　前記嵌着部に連設され、前記支柱の外表面に接して紐状体を挟み込んで係止する爪とを有し、
　前記爪で係止される紐状体によってマルチフィルムを持上げた状態で保持するようにしたフィルム係止具。
【請求項２】
　ワイヤを屈曲させて形成されることを特徴とする請求項１に記載のフィルム係止具。
【請求項３】
　円周方向の一部が欠如された円筒状部によって前記嵌着部が構成されることを特徴とする請求項１に記載のフィルム係止具。
【請求項４】
　一端にはマルチフィルムまたは紐状体を収納する収納部が設けられ、しかも該収納部の入口部分が前記フィルムまた前記紐状体を挟着する挟着部から構成され、
　他端にはほぼＵ字状に屈曲された屈曲部が形成されているフィルム係止具。
【請求項５】
　ねぎの軟白を行なうための長さ以上の長さを有し、畝に立設される支柱と、
　前記支柱の上端に設けられておりかつねぎを両側から挟んで保持する一対の紐状体を収納する収納部を有し、かつ畝の所定の位置に植栽されているねぎを区画する区画手段と、
　をそれぞれ具備するフィルム係止具。
【請求項６】
　下方に延びる支柱を有するとともに、上端側には縦長の長円形の収納部が形成され、しかも前記収納部の入口側の部分が挟着部から構成され、該挟着部によって紐状体あるいはマルチフィルムを係止して押えることを特徴とするフィルム係止具。
【発明の詳細な説明】
【技術分野】
【０００１】
　本発明はねぎの栽培用フィルム係止具に係り、とくに遮光フィルムから成るマルチフィルムを用いてねぎの根元側の部分の軟白を行なうようにしたねぎの栽培方法において用いられるマルチフィルムを持上げて軟白のために用いられるフィルム係止具に関する。
【背景技術】
【０００２】
　食用に供されるねぎは、とくにその根元側の部分が軟白化されなければならない。根元の部分が軟白化されていないと商品価値が極めて低く、食用に適さないものとなる。従来の露地栽培によってねぎを育成する場合には、鍬や土寄せ機によって３〜５回に分けてねぎに両側から土を寄せ、被覆された土の遮光性を利用して根元側に２０〜４０ｃｍの軟白化を実現している。
【０００３】
　土による軟白化が難しい場合には、土の代りに籾がらを利用し、この籾がらによって遮光を行なう等の方法が開発されている。
【０００４】
　土寄せによるねぎの軟白化は、土を寄せるために畝幅を８０〜１００ｃｍの値にしなければならず、畝と畝との間に広い間隔をとらなければならない欠点がある。また土寄せによって崩れ難い土質でないと、良質の軟白ねぎが栽培できないという問題がある。さらに土寄せを行なうために根を傷め、これによって生育が停滞されるとともに、切った根から病原菌が入込む問題があった。また土寄せ作業を軽減する目的で、植溝を深く掘って移植するために、湿害に遭遇し易く、直播には不向きな栽培方法であった。
【０００５】
　このような問題点に鑑みて、軟白を目的として高分子フィルムによる遮光を行ないながら軟白を行なうようにした栽培方法が開発された。ところが従来のこのような方法は、軟白フィルムを被覆する作業時間が非常に多くかかり、風が吹くとねぎが倒伏したり曲ったりする欠点があった。また高分子フィルムの密着度が劣るために、軟白むらが生じ易いという問題があった。
【０００６】
　軟白用の高分子フィルムの密着度を改善するために事務用クリップを使用すると、軟白むらは減少するが、クリップの幅が必要以上に広いのでねぎが曲がる問題がある。倒伏防止テープと軟白フィルムとを一緒に挟むと、ねぎにテープの跡がつき、これによってねぎの品質の低下を招くようになる。またねぎの生育にむらが生じているときに、倒伏防止テープと軟白フィルムとを一緒に挟むと、生育が劣っているねぎの新葉が倒伏防止テープに押えられ、かえってねぎを歪に生育させ、ねぎの曲りを助長させることになる。倒伏防止テープを支柱に縛りつけると多大な作業時間がかかりすぎ、作業中にねぎを傷め易い。また高分子フィルムによる軟白化は、栽培中の除草作業に難点を生ずる。
【０００７】
　高分子フィルムを用いないで、その代りに籾がらを使用した方法は、大量の籾がらが必要になり、その保管場所が必要であるばかりでなく、使用後における籾がらの事後処理に問題を生ずる。また籾がらを用いる軟白化は、安定したねぎの直播栽培に不適当なものである。このように土寄せに代る従来の軟白技術が必ずしも完成したものではなく、安定した効率の良い栽培方法が確率できていない問題がある。
【特許文献１】特開昭５８−１７０４１０号公報
【特許文献２】特開平６−２２６４２号公報
【発明の開示】
【発明が解決しようとする課題】
【０００８】
　本発明はこのような問題点を解決し、栽培が容易であってしかも高品質の軟白ねぎを栽培する方法に供されるフィルム係止具を提供することを課題とするものである。
【課題を解決するための手段】
【０００９】
　第１の発明は、畝に沿って所定の間隔で立設される支柱に嵌着自在に取付けられる嵌着部と、
　前記嵌着部に連設され、前記支柱の外表面に接して紐状体を挟み込んで係止する爪とを有し、
　前記爪で係止される紐状体によってマルチフィルムを持上げた状態で保持するようにしたフィルム係止具に関するものである。
【００１０】
　第１の発明によれば、爪は支柱の外表面に接して紐状体を挟み込むようになっているために、支柱に紐状体を巻付けることなく、紐状体を支柱に接触した爪に挟むだけの単純作業で係止することができ、ねぎを傷めることなく紐状体を係止することができ、その作業時間が短縮される。また爪の位置を一定にすることができ、これによって紐状体を一定の高さに係止して保持することが可能になる。
【００１１】
　第２の発明は、一端にはマルチフィルムまたは紐状体を収納する収納部が設けられ、しかも該収納部の入口部分が前記フィルムまた前記紐状体を挟着する挟着部から構成され、
　他端にはほぼＵ字状に屈曲された屈曲部が形成されているフィルム係止具に関するものである。
【００１２】
　第２の発明によれば、この係止具の挟着部の挟着力によって、フィルムあるいは紐状体を容易に収納部に導入することができる。また収納部に挟み込まれたフィルムや紐状体は、収納部の中で広がり、挟着部の挟着力によって抵抗が増して外れ難くなる。ねぎを両側から挟んでいる紐状体を挟着部を開いて収納部内に導入することによって、両側の紐状体がその位置で結合されてねぎを容易に区画することができる。この係止具の他端に形成されているＵ字状の屈曲部は係止具の摘みの役割を果し、挟む作業を円滑にすることになる。
【００１３】
　第３の発明は、ねぎの軟白を行なうための長さ以上の長さを有し、畝に立設される支柱と、
　前記支柱の上端に設けられておりかつねぎを両側から挟んで保持する一対の紐状体を収納する収納部を有し、かつ畝の所定の位置に植栽されているねぎを区画する区画手段と、
　をそれぞれ具備するフィルム係止具に関するものである。
【００１４】
　第３の発明によれば、収納部によってねぎを両側から挟んで保持する一対の紐状体を収納するようにしているために、紐状体の間隔が一定になり、ねぎの新葉を損傷することなく横に曲ったり倒れたりすることなくねぎを栽培することができる。また係止具の支柱を差込む際の差込み量を調整することにより、差込んだ紐状体やマルチフィルムが一定の高さを維持できるようになる。そして収納部によって収納されている一対の紐状体と区画手段とによってねぎを適当な間隔で囲む枠体を構成することができ、しかも支柱を地中に差込むことによって囲みが固定される。
【００１５】
　またこのような係止具は、収納部に導入された紐状体にマルチフィルムを挟み込むと、ねぎが横に広がるのを防止する力が紐状体に働いているために、係止したフィルムがより外れ難くなる効果をもたらす。しかも収納部によって収納されている一対の紐状体を適当な間隔で左右に分けることにより、ねぎに強く接触するのがマルチフィルムだけになり、必要以上にねぎの伸長を妨げることがなくなる。
【００１６】
　第４の発明は、下方に延びる支柱を有するとともに、上端側には縦長の長円形の収納部が形成され、しかも前記収納部の入口側の部分が挟着部から構成され、該挟着部によって紐状体あるいはマルチフィルムを係止して押えることを特徴とするフィルム係止具に関するものである。
【００１７】
　第４の発明によれば、上端側の長円形の収納部に紐状体を通すとともに、紐状体あるいはマルチフィルムを挟着部によって挟んで係止することが可能になる。このようなフィルム係止具は、上記第３の発明のフィルム係止具と適宜組合わせて用いられ、これによってねぎを紐状体を介して安定に保持するとともに、その根元側の部分にマルチフィルムを密着するように保持して軟白化を効率的に行なうことが可能になる。
【発明の効果】
【００１８】
　第１の発明は、支柱に嵌着自在に取付けられ、爪によって紐状体を支柱の外表面に接して挟み込むように係止するようにした係止具に関するものである。
【００１９】
　このような係止具によって極めて効率的に紐状体を係止することができ、このようにして係止された紐状体によってマルチフィルムを持上げた状態で保持できるようになり、ねぎの栽培における軟白化のためのマルチフィルムによる被覆の作業性が改善されることになる。
【００２０】
　第２の発明によれば、入口部分が挟着部から成る収納部が一端に設けられるとともに、他端側がＵ字状に屈曲された屈曲部から成るフィルム係止具に係るものである。
【００２１】
　このようなフィルム係止具によって、両側のフィルムを挟むことにより、ねぎの軟白の均一化が促進され、より良質の軟白ねぎが栽培されるようになる。しかもＵ字状の屈曲部によってこの係止具を持つことができ、取扱いが容易で作業性が改善される。
【００２２】
　第３の発明は、支柱を一体に備えるとともに、一対の紐状体を収納する収納部を有し、しかも畝の所定の位置に植栽されているねぎを区画するようにしたフィルム係止具に関するものである。
【００２３】
　従ってこのようなフィルム係止具によれば、その収納部に一対の紐状体とフィルムとを収納するとともに、複数本のねぎを区画することによって保持しながらマルチフィルムでねぎの根元部分を覆うことができ、両側の紐状体によってねぎを必要以上に締付けることなくしかもねぎを成長させることが可能になり、極めて良質の軟白ねぎが栽培できるようになる。
【００２４】
　第４の発明は、下方に延びる支柱を有するとともに、上端側には縦長の長円形の収納部が形成され、しかも収納部の入口側の部分が挟着部から構成され、該挟着部によって紐状体あるいはマルチフィルムを係止して押えるようにしたフィルム係止具に関するものである。
【００２５】
　従ってこのようなフィルム係止具によれば、長円形の収納部を挿通する紐状体によってねぎを側方に倒れるのを防止しながらしかも挟着部で係止されるマルチフィルムによってねぎの根元部分を覆うことができる。とくに収納部が長円形の形状であるために、マルチフィルムをねぎの根元側の部分に対して密着させる効果が大きい。
【発明を実施するための最良の形態】
【００２６】
　以下本発明の一実施例を図面を参照して説明する。ねぎを移植あるいは直播する前またはその後の何れかに、遮光率が９９．９％であって反射率が６５％で、厚さが４０μｍで、幅が５０ｃｍのポリエチレン製のマルチフィルム１２を畝１０に植栽されているねぎ１１を挟むように２〜３ｃｍの植穴間隔をとり、図１に示すように敷設する。マルチフィルム１２はフィルム押え１３によって固定する。なおフィルム押え１３に代えて土で固定してもよい。
【００２７】
　ねぎ１１が大きくなるまでの適当な時期に、図２に示すように直径が１６ｍｍの鉄パイプの支柱２０をマルチフィルム１２間の植穴であって畝１０の中心に２ｍおきにしっかりと立てる。この支柱には、地面から２０ｃｍおよび３０ｃｍの位置にそれぞれ防錆処理してある直径が２ｍｍの鉄線を用いた嵌込み型係止具２１（図１２参照）が取付けられている。
【００２８】
　ねぎ１１が約５０ｃｍの長さに成長した時点で、紐１６をねぎ１１の両側であって高さが２０ｃｍの位置に張りめぐらす。紐１６は図２に示すように嵌込み型係止具２１の爪２３によって係止される。必要に応じて防錆処理してある３ｍｍの直径の支柱付き係止具３７（図１７参照）をパイプ１２間に１本または２本以上差込むとともに、このような係止具３７の挟着部４２に紐１６を挟んだり引張ったりして係止する。そして支柱２０や係止具３７と両側の紐１６とによって構成される枠によって適当な本数を区画して保持する。本実施例においては、互いに隣接する支柱２０間に２〜３本の係止具３７を差込むようにしている。
【００２９】
　ねぎ１１が７０ｃｍ程度成長した時点で、再び紐１６を３０ｃｍの高さの位置に上述の場合と同様にして取付け、係止具３７を引上げて同様に設置し、図３および図４に示す要領で、支柱２０または係止具３７と、両側のテープ１６とによって区画を形成し、その中に複数本のねぎ１１を保持する。
【００３０】
　図５に示すように、ねぎ１１の直径が２ｃｍ以上になった段階で、両側に敷設されているマルチフィルム１２のねぎ１１から遠い方の端部の裾のフィルム押え１３を外し、図５〜図９に示すように、上側の紐１６の内側にマルチフィルム１２を３〜５ｃｍ包み込むように折曲げてねぎ１１の根元側であって軟白を要する部分を被覆する。マルチフィルム１２の係止に当っては、図６の要領で嵌込み型係止具２１の爪２３の両側に挟んだり、図７に示すように係止具３７の収納部４１の内側に紐１６を挟み込んだマルチフィルム１２を左右に分け、支柱２０をマルチフィルム１２に沿って外側の土に差込む。
【００３１】
　収穫時の１５〜２０日前に、被覆したマルチフィルム１１の密着度の劣った場所を探し、図８および図９に示す要領で係止具３１を用いて両側のフィルム１２のみを挟むようにする。なお持上げられたマルチフィルム１２の係止は、嵌込み型係止具２１のみならず、係止具３７、係止具３１（図１６参照）等のそれぞれの単独あるいは複数の組合わせによって容易に実現可能である。
【００３２】
　図１０はねぎ１１が植付けられている畝１０間にマルチフィルム１２を２枚重ねで被覆したものであって、ねぎ１１の植付け間隔を狭くして密植させるとともに、慣行土寄せ栽培の２〜３倍の収穫を行なうようにしたものである。すなわち上下のマルチフィルム１２をねぎが所定の長さまで生育した段階で左右に持上げることによって左側および右側のねぎ１１の根元部分を覆うようにし、マルチフィルム１２を軟白フィルムとして用いるようにしている。
【００３３】
　図１１は別の例を示している。この例はマルチフィルム１２に形成されている植穴の部分にねぎ１１を植付けてマルチ栽培を行なうようにしたものである。このようなマルチ栽培によってねぎ１１が所定の長さに生育した段階で、このマルチフィルム１２の幅方向の両端を持上げて軟白を行なう。このような方法によれば、フィルム押え１３の使用箇所が少なくなり、これによってマルチフィルム１２の敷設が容易になる。
【００３４】
　次に上記マルチフィルム１２を持上げて軟白化を行なう際に紐１６またはフィルム１２を係止するための係止具について説明する。図１２は支柱２０に着脱自在に取付けられる嵌着部２２を備える係止具を示しており、この嵌着部２２に一体に連設されている爪２３が図１３に示すように、支柱２０の外表面に圧着され、このような爪２３によって紐１６を挟み込んで係止するようにしたものである。
【００３５】
　図１４は別の係止具２６を示している。この係止具２６はその主体部が円周方向の一部が欠如された円筒状部から成る嵌着部２７から構成されており、この嵌着部２７には下方に延出された爪２８が連設されている。このような爪２８が下方に延出された係止具２６が図１５に示すように支柱２０に着脱可能に嵌着されるようになっている。そして爪２８が支柱２０に対して紐１６を挟み込んで係止するようになっている。
【００３６】
　図１６は両側のフィルム１２を押えるための係止具であって、その一端にはＵ字状に屈曲された幅の狭い収納部３２が設けられるとともに、この収納部３２の入口側の部分が互いに圧接されるようになっている挟着部３３から構成され、しかもこの係止具３１の下端側にはＵ字状に屈曲された屈曲部３４が形成されている。
【００３７】
　図１７は直接土中に挿入して使用することができる係止具３７を示しており、この係止具３７は下方に突出する一対の支柱３８、３９を備えている。そして上端側は折曲げられた区画部４０から構成されており、左右に下方に曲っている収納部４１を備えるとともに、収納部４１の先端側には挟着部４２が設けられており、この挟着部４２で紐１６あるいはフィルム１２を挟着して係止するようになっている。
【００３８】
　図１８は図１７と同様の係止具４５を示しており、この係止具４５は支柱４６、４７を備えるとともに、支柱４６、４７の上端側には区画部４８が連設されている。そして区画部４８の内側が収納部４９になっている。
【００３９】
　図１９はさらに別の係止具５１を示しており、この係止具５１は下方に延びる支柱５２を有するとともに、上端側には縦長の長円形の収納部５３が形成され、しかもこの収納部５３の入口側の部分が挟着部５４から構成され、この挟着部５４によって紐１６あるいはマルチフィルム１２を係止して押えるようになっている。
【００４０】
　このようなマルチフィルム１２を用いたねぎの栽培方法によれば、マルチ栽培のためのフィルム１２がそのままねぎの軟白化のためのフィルムに転用できるために、経済的でかつ作業効率が良好になる。しかもこのような栽培方法によれば、作業要因でねぎの根を傷めることなく栽培できるために、土壌病菌の侵入による病気の発生がなくなる。またマルチフィルム１２によって土壌水分が均一になり、必要以上の水分の蒸散が抑えられ、土壌の硬化を防ぐことによって、ねぎの根の張りがとくに旺盛になり、生育が早く、揃いもよくなる。また従来のように溝を深く掘ってねぎを移植する必要がなく、慣行の野菜栽培と同様に平畝あるいは高畝で栽培できるために、湿害に遭う恐れがなく、場所を選ぶことなく栽培できることになる。
【００４１】
　またこのようなマルチフィルム１２を利用した栽培方法によると、土壌環境が良化するので、従来不向きであった直播栽培が安定できるようになり、慣行土寄せ栽培と比較すると、移植による生育停滞、土寄せによる生育停滞がともになくなり、栽培日数が４０〜６０日間短縮できる。またマルチ栽培に用いられるフィルム１２の種類により、より適した土壌温度および軟白栽培時の温度を容易に得られるようになる。例えば地温の高い夏に播種し、冬に収穫する場合には、表裏の反射率が互いに異なり、表側の反射率が６５％以上であって裏側の反射率が４５％以下のフィルムを用いることによって、反射率の高い面を上にしてマルチ栽培を行ない、反射率の低い面を外にして軟白のためのねぎの被覆を行なうことが可能になる。このようにして夏期の高地温を防ぎ、冬期の温度不足を補うことが容易になる。
【００４２】
　このような栽培方法は、必要な時期に紐１６や係止具３７を用いて、ねぎを一定間隔毎に囲って間仕切りを行なうことができるために、ねぎが曲ったり、倒伏したりすることを事前に防ぐことができ、こまめに紐１６を多段に使用することによって、その効果がさらに向上するようになる。
【００４３】
　支柱２０に嵌着自在に嵌込み型係止具２１、２６を必要な高さに取付けるようにしているために、支柱２０に紐１６を巻付ける必要がなく、被覆高さの目安とすることができる。従って作業時間を大幅に短縮することが可能になる。また軟白化のために持上げたフィルム１２の被覆高さが一定になり、ねぎ１１の揺れで紐１６の位置がずれることをなくし、高さ維持が容易になる。
【００４４】
　マルチフィルム１２を軟白化のために用いる際に係止具３７を使用すると、収納部４１または区画部４０で紐１６を左右に分けることができ、紐１６でねぎ１１を必要以上に傷めつけることなく適正な広がりをもってねぎ１１を矯正し、新葉を傷めることなくねぎを生育させることができる。また支柱２０の直径が適度に細く、適度な長さでねぎとねぎとの間にマルチフィルム１２を挟み込むようになるために、ねぎ１１とマルチフィルム１２との密着性が向上し、ねぎ１１内に太陽光が入らず、軟白部と緑色部との境が鮮明な高品質の軟白ねぎが栽培できる。また支柱３８がフィルム１２の外側に沿って土に差込むようになっているために、支柱３８の押圧作用によってフィルム１２のバタつきが少なく、フィルム１２の押えが不要になり、フィルム１２の係止の高さの維持が容易になり、この係止具３７の支柱３８に沿ったねぎ１１は畝１０の方向への曲りが矯正され、真直ぐに伸長するようになり、良質の軟白ねぎを栽培できるようになる。
【００４５】
　さらにこのような支柱付きの係止具３７は、挟着部４２に紐１６を引掛け、支柱３８を土中に差込んで使用することができるために、紐１６の横揺れやねぎ１１の畝方向への曲りが少なくなる。またマルチフィルム１２の被覆時に、事前に設置した支柱付き係止具３７を使用するために、大きくなったねぎ１１の間を何回も移動することなく効率のよい作業を行なうことが可能になる。
【００４６】
　さらには収穫の直前に軟白のために持上げられたマルチフィルム１２のゆるみを補正するために、係止具３１で挟むことによって、軟白ねぎ１１の均一化がさらに進み、軟白部と緑色部の境が鮮明になって良質の軟白ねぎが栽培できるようになる。また狭い幅でマルチフィルム１２を挟むために、係止具３１によるねぎ１１の曲りが助長されない。
【００４７】
　またこのようなマルチフィルム１２を利用したねぎの軟白化の方法は、伸びのよいマルチフィルム１２を使用するために、マルチフィルム１２の硬さでねぎ１１の伸長を妨げることなくねぎに密着でき、軟白の品質がさらに向上する。また嵌込み型係止具２１に紐１６とマルチフィルム１２とを一緒に挟み込むことができるために、マルチフィルム１２を持上げたときの高さの維持や係止作業の作業性が向上する。
【００４８】
　マルチフィルム１２を図１０に示すように事前に２枚重ねで栽培するとともに、上下のマルチフィルム１２を持上げて左右のねぎ１１の根元部分を覆うことによって、ねぎの条間が１／２〜１／３になり、従来の栽培方法の２〜３倍の収穫量のねぎ１１を収穫することが可能になる。
【産業上の利用可能性】
【００４９】
　本願発明はねぎの栽培に広く利用可能である。
【図面の簡単な説明】
【００５０】
【図１】植付けられたねぎの両側にマルチフィルムを敷設した状態の斜視図である。
【図２】ねぎの間に支柱を立設した状態の斜視図である。
【図３】同正面図である。
【図４】２段にわたって紐を張りめぐらせた状態の斜視図である。
【図５】マルチフィルムを持上げた状態の断面図である。
【図６】マルチフィルムの支柱による係止を示す断面図である。
【図７】マルチフィルムの係止具による係止を示す断面図である。
【図８】マルチフィルムによって根元側の部分が被覆されたねぎの正面図である。
【図９】同外観斜視図である。
【図１０】二重にマルチフィルムを畝間に敷設した状態の斜視図である。
【図１１】マルチフィルムの植穴の部分にねぎを植付けた状態の斜視図である。
【図１２】係止具の斜視図である。
【図１３】係止具を嵌着した支柱の上端側の斜視図である。
【図１４】別の係止具の斜視図である。
【図１５】係止具を嵌着した支柱の斜視図である。
【図１６】別の係止具の正面図である。
【図１７】支柱付き係止具の正面図である。
【図１８】別の支柱付き係止具の正面図である。
【図１９】さらに別の支柱付き係止具の正面図である。
【符号の説明】
【００５１】
　１０　畝
　１１　ねぎ
　１２　マルチフィルム
　１３　フィルム押え
　１６　紐
　２０　支柱
　２１　係止具
　２２　嵌着部
　２３　爪
　２６　係止具
　２７　嵌着部
　２８　爪
　３１　係止具
　３２　収納部
　３３　挟着部
　３４　屈曲部
　３７　係止具
　３８、３９　支柱
　４０　区画部
　４１　収納部
　４２　挟着部
　４５　係止具
　４６、４７　支柱
　４８　区画部
　４９　収納部
　５１　係止具
　５２　支柱
　５３　収納部
　５４　挟着部
【図１】
2004081224.tif 000003
【図２】
2004081224.tif 000004
【図３】
2004081224.tif 000005
【図４】
2004081224.tif 000006
【図５】
2004081224.tif 000007
【図６】
2004081224.tif 000008
【図７】
2004081224.tif 000009
【図８】
2004081224.tif 000010
【図９】
2004081224.tif 000011
【図１０】
2004081224.tif 000012
【図１１】
2004081224.tif 000013
【図１２】
2004081224.tif 000014
【図１３】
2004081224.tif 000015
【図１４】
2004081224.tif 000016
【図１５】
2004081224.tif 000017
【図１６】
2004081224.tif 000018
【図１７】
2004081224.tif 000019
【図１８】
2004081224.tif 000020
【図１９】
2004081224.tif 000021